(57)【要約】【課題】燃料組成物と別々に保管・携行が可能であり、水道水を使用しても清浄化された水を簡単に燃料組成物に供給することが可能な燃料電池用水供給装置を提供する。【解決手段】燃料電池用水供給装置１は、カートリッジ２と、該カートリッジ２内に収容されたイオン交換体であるイオン交換繊維３とからなる。カートリッジ２はスポイト状のものであり、先端に吸排口２ａを備え、後端側が減容及び増容可能なヘッド部２ｃとなっており、吸排口２ａとヘッド部２ｃとの間が胴部２ｂとなっていて、この胴部２ｂ内にイオン交換繊維３が収容されている。この燃料電池用水供給装置１において、カートリッジ２は、ヘッド部２ｃを押圧して縮小（減容）させた後、この押圧を解除することで増容し、増容時に生じる負荷によって内部に水を吸い上げる。この水がイオン交換繊維３と接触することにより、イオン性の不純物が除去されて純度の高い水となる。【選択図】図１
2007128833.tif 000002
【特許請求の範囲】
【請求項１】
減容及び増容可能であり、増容時に生じる負荷によって内部に水を吸入できるカートリッジと、当該カートリッジ内に収容されたイオン交換体とからなり、
水と前記イオン交換体とが接触することによって、当該水中に含まれるイオン性不純物を除去し、その水に圧力をかけることによって液体燃料成分を固体化した燃料組成物に供給可能であることを特徴とする燃料電池用水供給装置。
【請求項２】
前記カートリッジが、スポイト状又はシリンジ状であることを特徴とする請求項１に記載の燃料電池用水供給装置。
【請求項３】
前記イオン交換体が、イオン交換樹脂又はイオン交換繊維であることを特徴とする請求項１又は２に記載の燃料電池用水供給装置。
【請求項４】
前記カートリッジ内に活性炭を有することを特徴とする請求項１〜３のいずれかに記載の燃料電池用水供給装置。
【請求項５】
前記燃料組成物が水と接触することで液体燃料成分を放出することを特徴とする請求項１〜４のいずれかに記載の燃料電池用水供給装置。
【請求項６】
前記液体燃料成分が、アルコール類、エーテル類、炭化水素類、及びアセタール類からなる群より選ばれる１種又は２種以上であることを特徴とする請求項１〜５のいずれかに記載の燃料電池用水供給装置。
【請求項７】
前記燃料組成物が、液体燃料成分と相手方化合物との分子化合物を含むことを特徴とする請求項１〜６のいずれかに記載の燃料電池用水供給装置。
【請求項８】
前記燃料組成物の分子化合物が、当該燃料電池用燃料とホスト化合物とから形成される包接化合物であることを特徴とする請求項７に記載の燃料電池用水供給装置。
【請求項９】
前記燃料組成物が、多価アルコールの脂肪酸エステルと燃料電池用燃料とを含むことを特徴とする請求項１〜８のいずれかに記載の燃料電池用水供給装置。
【発明の詳細な説明】
【技術分野】
【０００１】
本発明は燃料電池に水を供給するための装置に関し、特に燃料電池用燃料に水を供給するための装置に関する。
【背景技術】
【０００２】
固体高分子電解質型燃料電池は、パーフルオロスルホン酸膜等の固体電解質膜を電解質とし、この膜の両面に燃料極及び酸化剤極を接合して構成され、アノードに水素やメタノール、カソードに酸素を供給して電気化学反応により発電する装置である。各電極で生じる電気化学反応は、アノードでは、メタノールを用いた場合、
ＣＨ３ＯＨ＋Ｈ２Ｏ→６Ｈ＋＋ＣＯ２＋６ｅ− …［１］
であり、また、カソードでは、
３／２Ｏ２＋６Ｈ＋＋６ｅ−→３Ｈ２Ｏ …［２］
である。この反応を起こすために、両電極は触媒物質が担持された炭素微粒子と固体高分子電解質との混合体より構成されている。
【０００３】
このような固体高分子電解質型燃料電池において、燃料としてメタノールを用いた場合、アノードに供給されたメタノールは、電極中の細孔を通過して触媒に達し、触媒によりメタノールが分解されて、上記反応式［１］の反応で電子と水素イオンとを生成する。水素イオンは、アノード中の電解質及び両電極間の固体電解質膜を通ってカソードに達し、カソードに供給された酸素及び外部回路より流れ込む電子と反応して、上記反応式［２］のように水を生じる。一方、メタノールより放出された電子はアノード中の触媒担体を通って外部回路へ導き出され、外部回路よりカソードに流れ込む。この結果、外部回路ではアノードからカソードへ向かって電子が流れ電力が取り出される。
【０００４】
このメタノールを燃料とするダイレクトメタノール型燃料電池は、携帯用小型燃料電池として適用できる可能性が高く、近年、携帯用コンピューターや携帯電話等の次世代二次電池として開発が活発化してきている。
【０００５】
しかしながら、ダイレクトメタノール型燃料電池の燃料は、メタノールをスポンジなどの吸収体に含浸収等をさせて液体のまま利用していたので、保管・運搬時等に液漏れのおそれがあり、危険性が高く、取扱い上の問題が多い。このような燃料を安全に貯蔵する方法として、燃料を分子化合物とする方法（特許文献１参照）や、ポリマーに吸収させてゲル化させる方法（特許文献２参照）、多価アルコールの脂肪酸エステルと配合させる方法（特許文献３参照）等が報告されている。また、これらの燃料電池用燃料を安定な組成物としたものから、燃料電池用燃料を放出させる方法については、本出願人らから先に提案されている（特許文献４参照）。
【特許文献１】国際公開第２００４／０００８５７号パンフレット
【特許文献２】特開２００４−１２７６５９号公報
【特許文献３】特開平８−２３１９７０号公報
【特許文献４】特開２００５−２０３３３５号公報
【発明の開示】
【発明が解決しようとする課題】
【０００６】
しかしながら、従来報告されている燃料放出機構では、燃料電池用燃料組成物が入っている容器内に通水する水が液体として存在しており、その水が漏れたりするおそれがある。そこで、特許文献４に記載されているように燃料組成物だけをカートリッジとして必要量の水を供給する方法を採用することが考えられるが、この場合、燃料組成物から燃料を液状として放出するために水が不可欠であり、両者を一緒にカートリッジ化した場合には、カートリッジが大型化してしまうという問題点があった。さらに、燃料電池システムを汎用的なものとするためには、水道水を清浄化して使用できるのが望ましい。
【０００７】
本発明は上記課題に鑑みてなされたものであり、燃料組成物と別々に保管・携行が可能であり、かつ簡単に燃料組成物に水を供給することが可能な燃料電池用水供給装置を提供することを目的とする。さらに本発明は、水道水を使用しても清浄化された水を燃料組成物に供給することが可能な燃料電池用水供給装置を提供することを目的とする。
【課題を解決するための手段】
【０００８】
本発明の燃料電池用水供給装置は、減容及び増容可能であり、増容時に生じる負荷によって内部に水を吸入できるカートリッジと、当該カートリッジ内に収容されたイオン交換体とからなり、水と前記イオン交換体とが接触することによって、当該水中に含まれるイオン性不純物を除去し、その水に圧力をかけることによって液体燃料成分を固体化した燃料組成物に供給可能であることを特徴とする（請求項１）。これにより、水供給装置と燃料組成物を収容するカートリッジとを別々に設けることができるので、水供給装置をコンパクト化することができる。しかも、水道水等の汎用の水を用いても、イオン交換体を透過することでイオン性の不純物が除去されて燃料組成物に純度の高い水を供給することができるので、これにより純度の高い燃料を燃料電池セルに供給することができ、燃料電池セルにおける発電効率を向上させることができる。しかも、燃料電池用水供給装置を着脱することで、液漏れ等も生じることがない。
【０００９】
上記発明（請求項１）においては、前記カートリッジが、スポイト状又はシリンジ状であることが好ましい（請求項２）。このような構成を採用することにより燃料組成物に簡単に水を供給することができる。この燃料電池用水供給装置においては、イオン交換体としては、イオン交換樹脂又はイオン交換繊維を用いることができる（請求項３）。
【００１０】
さらに、上記発明（請求項１〜３）においては、前記カートリッジ内に活性炭を有することが好ましい（請求項４）。これによりイオン性の不純物だけでなく有機物等も吸着除去して、燃料組成物に供給する水の純度をさらに向上させることができる。
【００１１】
この燃料組成物は水と接触することで液体燃料成分を放出することができる（請求項５）。そして、この液体燃料成分としてアルコール類、エーテル類、炭化水素類、及びアセタール類からなる群より選ばれる１種又は２種以上を用いることができる（請求項６）。本発明の燃料電池用水供給装置は、前記燃料組成物が、液体燃料成分と相手方化合物との分子化合物を含むことを特徴とする（請求項７）。さらに、前記燃料組成物の分子化合物が、当該燃料電池用燃料とホスト化合物とから形成される包接化合物である（請求項８）。また、前記燃料組成物として、多価アルコールの脂肪酸エステルと燃料電池用燃料とを含むものを用いることもできる（請求項９）。
【００１２】
なお、燃料組成物が収容された燃料カートリッジを備える燃料電池システムにおいて、本発明の水供給装置の先端部が嵌入する孔を当該燃料カートリッジに設け、当該孔に本発明の水供給装置の先端部を嵌入させ、燃料カートリッジ内に水を供給する構成とすることもできる。これにより、本発明の水供給装置以外の装置から燃料カートリッジに水を供給することができず、燃料電池内に純水以外のものが供給されるおそれがないため、水道水等の水が供給されることにより燃料電池機器に生じ得るトラブルを防止することができる。
【発明の効果】
【００１３】
本発明の燃料電池用水供給装置は、イオン交換体を備えているので、水道水等の汎用の水を用いても純度の高い水を燃料組成物に供給でき、不純物の少ない燃料水溶液を電池セルに供給できるので、燃料電池セルにおける発電効率を向上させることができる。しかも燃料組成物を収納した燃料カートリッジを別々に設けることにより、燃料電池用水供給装置及び燃料カートリッジをコンパクト化することができ、しかも、燃料電池用水供給装置を着脱することで、液漏れ等も生じることがない。
【００１４】
なお、燃料電池用燃料のうち、メタノールの原液は毒劇物取締法の劇物に相当し、また危険物第４類に相当する等、取扱いには十分に注意する必要がある上に、高濃度メタノールでは腐食等の問題があることなどの理由から、メタノールを燃料として使用する際は、通常、１０〜３０質量％程度の水溶液として使用する。したがって、メタノール水溶液のカートリッジを持ち運ぶことが一般的な方法として提案されているが、水溶液の漏れを防止することは大きな問題となっていた。本発明の水供給装置によれば、このメタノールを包接化合物等の固体状の燃料組成物とし、この燃料組成物に水を供給することで燃料であるメタノールを放出させることにより、燃料を適当な濃度の水溶液として燃料電池に供給することができる。
【発明を実施するための最良の形態】
【００１５】
以下、本発明の燃料電池用水供給装置の実施形態について添付図面を参照して詳細に説明する。図１は、本発明の第１の実施形態に係る燃料電池用水供給装置の長手方向の断面図であり、図２は、本発明の第２の実施形態に係る燃料電池用水供給装置を示す概略図である。
【００１６】
図１に示すように、燃料電池用水供給装置１は、カートリッジ２と、カートリッジ２内に収容されたイオン交換体であるイオン交換繊維３とからなる。カートリッジ２は、スポイト状のものであり、先端側に吸排口２ａを備え、後端側に減容及び増容が可能なヘッド部２ｃを備える。そして、吸排口２ａとヘッド部２ｃとの間が胴部２ｂとなっていて、この胴部２ｂ内にイオン交換繊維３が収容されている。
【００１７】
この燃料電池用水供給装置１にあっては、ヘッド部２ｃを押圧して縮小（減容）させた後、吸排口２ａを水に接触させた状態でヘッド部２ｃの押圧を解除すると、吸排口２ａから水が吸い上げられる。この吸い上げられた水がイオン交換繊維３と接触することにより、水に含まれるイオン性の不純物が除去されて純度の高い水となり、ヘッド部２ｃ内に一旦貯えられる。そして、ヘッド部２ｃを再度押圧すると、この水が再度イオン交換繊維３と接触した後、吸排口２ａから流出する。
【００１８】
次に本発明の第２の実施形態に係る燃料電池用水供給装置について図２を参照して説明する。図２に示す燃料電池用水供給装置１１において、カートリッジは、透明性の樹脂又はガラスからなる筒状のシリンジ本体１２と、当該シリンジ本体１２の基端側に形成された開口部１２ｂに挿脱自在に収容されたピストン１３とからなり、このシリンジ本体１２は、４個の筒状部材１２Ａ〜１２Ｄを接合部材１６にて螺合することにより接続して形成されており、先端側より吸排口１２ａを備えた吸排部材１２Ａと、活性炭１４を収容した活性炭部材１２Ｂと、イオン交換体であるイオン交換繊維１５を収容したイオン交換部材１２Ｃと、水貯留部材１２Ｄとからなる。
【００１９】
この第２の実施形態に係る燃料電池用水供給装置１においては、吸排口１２ａを水に接触させた状態でピストン１３を押し上げて水貯留部材１２Ｄの空間を拡張させると、吸排口１２ａから水が吸い上げられる。この水が活性炭１４を通過することで水に含まれる有機物等の不純物が除去され、さらにイオン交換繊維１５と接触することにより、水に含まれるイオン性の不純物が除去されて、純度の高い水が水貯留部材１２Ｄの貯留空間内に一旦貯えられる。そして、ピストン１３を押し下げて水貯留部材１２Ｄの空間を縮小させると、水が再度イオン交換繊維１５及び活性炭１４に順次接触した後、吸排口１２ａから流出する。
【００２０】
この実施の形態では、イオン交換繊維１５とともに活性炭１４も設けられているので、イオン性の不純物以外に有機物についても吸着除去することができる。なお、シリンジ本体１２は、４個の筒状部材１２Ａ〜１２Ｄを接合部材１６にて螺合により接続してなるので、各部材を取り替えることにより容易に組換えが可能である。したがって、活性炭部材１２Ｂは必ずしも必要ではなく、取り外してもよいし、他の機能性の部材を取り付け、あるいは付加してもよい。
【００２１】
上述したような第１及び第２の実施形態に係る燃料電池用水供給装置１，１１は、図３に示すように燃料組成物であるメタノール包接化合物２１ａを収容した燃料カートリッジ２１に純水を供給することができる。そして、供給された純水とメタノール包接化合物２１ａとが接触してメタノール水溶液となり、燃料電池セル２２の燃料極に供給され、燃料極の触媒成分により水素イオン（Ｈ＋）、二酸化炭素（ＣＯ２）及び電子（ｅ−）に転換され、電子（ｅ−）は電気的接続により、水素イオン（Ｈ＋）は電解質膜を通過することにより、それぞれ空気極に導入される。一方、空気極では、空気又は酸素（Ｏ２）が供給され、この酸素（Ｏ２）が燃料極で発生した水素イオン（Ｈ＋）及び電子（ｅ−）と反応して水を生じる。このような反応において、燃料極及び空気極を電気機器の配線等に接続することにより電力を取り出すことができる。
【００２２】
このように、本実施形態の燃料電池用水供給装置１，１１は、水を吸入した後吐出させるだけで、燃料電池組成物であるメタノール包接化合物２１ａに純水を供給することができる。これにより、不純物の少ない燃料電池用燃料（メタノール水溶液）を燃料電池セルに供給することができ、発電効率の向上を期待することができる。また、この燃料電池用水供給装置は、水道水等を純水化して供給することが可能であり、しかも水を吸入するまでは内部に水を有しないものであり、水漏れのおそれもなく、持ち運びも簡単なものとなっている。
【００２３】
上述したような本実施形態においては、燃料組成物としてメタノール包接化合物２１ａを用いた場合を例に説明したが、燃料組成物としては以下のものも使用することができる。すなわち、燃料電池用燃料（又は液体燃料成分）としては、例えば、メタノール等のアルコール類、エーテル類、炭化水素類、又はアセタール類等が挙げられるが、固体高分子型燃料電池の燃料に使用できるものであればよく、これらに限定されるものではない。具体的には、水素；メタノール、エタノール、ｎ−プロパノール、イソプロパノール、エチレングリコール等のアルコール類；ジメチルエーテル、メチルエチルエーテル，ジエチルエーテル等のエーテル類；プロパン、ブタン等の炭化水素類；ジメトキシメタン、トリメトシキメタン等のアセタール類等が挙げられるが、これらに限定されるものではなく、またこれらは１種を単独で使用してもよいし、２種以上を混合して使用してもよい。
【００２４】
また燃料電池は、好ましくは固体高分子型燃料電池であり、その中でも上記第１の実施形態又は第２の実施形態のようにダイレクトメタノール型燃料電池が好適であるが、これに限定されるものではない。
【００２５】
この燃料電池用燃料は、燃料電池用燃料の分子化合物やポリマーとして固体化又はゲル化された燃料電池用燃料組成物を使用することができる。
【００２６】
ここで、分子化合物とは、単独で安定に存在することのできる化合物の２種類以上の化合物が水素結合やファンデルワールス力等に代表される、共有結合以外の比較的弱い相互作用によって結合した化合物であり、例えば、水化物、溶媒化物、付加化合物、包接化合物等が挙げられる。このような分子化合物は、分子化合物を形成する化合物と燃料電池用燃料との接触反応により形成することができ、燃料電池用燃料を固体状の化合物に変化させることができ、比較的軽量で安定に燃料電池用燃料を貯蔵することができる。
【００２７】
分子化合物としては、例えば、ホスト化合物と燃料電池用燃料との接触反応により燃料電池用燃料を包接した包接化合物が挙げられる。
【００２８】
分子化合物のうち、燃料電池用燃料を包接した包接化合物を形成するホスト化合物としては、例えば、有機化合物、無機化合物及び有機・無機複合化合物よりなるものが挙げられ、また、有機化合物においては、単分子系、多分子系、高分子系ホスト等が挙げられる。
【００２９】
単分子系ホストとしては、例えば、シクロデキストリン類、クラウンエーテル類、クリプタンド類、シクロファン類、アザシクロファン類、カリックスアレン類、シクロトリベラトリレン類、スフェランド類、環状オリゴペプチド類等が挙げられる。また、多分子系ホストとしては、例えば、尿素類、チオ尿素類、デオキシコール酸類、コール酸類、ペルヒドロトリフェニレン類、トリ−ｏ−チモチド類、ビアンスリル類、スピロビフルオレン類、シクロフォスファゼン類、モノアルコール類、ジオール類、ヒドロキシベンゾフェノン類、アセチレンアルコール類、フェノール類、ビスフェノール類、トリスフェノール類、テトラキスフェノール類、ポリフェノール類、ナフトール類、ビスナフトール類、ジフェニルメタノール類、カルボン酸アミド類、チオアミド類、ビキサンテン類、カルボン酸類、イミダゾール類、ヒドロキノン類等が挙げられる。さらに、高分子系ホストとしては、例えば、セルロース類、デンプン類、キチン類、キトサン類、ポリビニルアルコール類、１，１，２，２−テトラキスフェニルエタンをコアとするポリエチレングリコールアーム型ポリマー類、α，α，α’，α’−テトラキスフェニルキシレンをコアとするポリエチレングリコールアーム型ポリマー類等が挙げられる。
また、その他に有機りん化合物、有機ケイ素化合物なども挙げられる。
【００３０】
無機系ホスト化合物としては、例えば、酸化チタン、グラファイト、アルミナ、遷移金属ジカルゴゲナイト、フッ化ランタン、粘土鉱物（モンモリロナイトなど）、銀塩、ケイ酸塩、リン酸塩、ゼオライト、シリカ、多孔質ガラス等が挙げられる。
【００３１】
さらに、有機金属化合物にもホスト化合物としての性質を示すものがあり、有機金属化合物としては、例えば、有機アルミニウム化合物、有機チタン化合物、有機ホウ素化合物、有機亜鉛化合物、有機インジウム化合物、有機ガリウム化合物、有機テルル化合物、有機スズ化合物、有機ジルコニウム化合物、有機マグネシウム化合物等が挙げられる。また有機カルボン酸の金属塩や有機金属錯体等を用いることも可能であるが、有機金属化合物であれば、特にこれらに限定されるものではない。
【００３２】
これらのホスト化合物のうち、包接能力がゲスト化合物の分子の大きさに左右されにくい多分子系ホストがより有効である。
【００３３】
これらのホスト化合物は、１種を単独で使用してもよいし、２種以上を併用してもよい。さらに、これらのホスト化合物は、燃料電池用燃料と固体状の包接化合物を形成するものであれば、どのような形状の化合物でもかまわない。
【００３４】
また、上述の有機ホスト化合物は、無機系多孔質物質に担持させた有機・無機複合素材として使用することもできる。この場合、有機ホスト化合物を担持する多孔質物質としては、例えば、シリカ類、ゼオライト類、活性炭類の他に、粘土鉱物類、モンモリロナイト類等の層間化合物等を使用することができるが、これらに限定されるものではない。このような有機・無機複合素材の製造方法としては、前述の有機ホスト化合物を溶解することのできる溶媒に溶解させ、その溶液を無機多孔質物質中に含浸させ、溶媒を乾燥、減圧乾燥等することにより製造することができる。無機多孔質物質に対する有機ホスト化合物の担持量としては特に制限はないが、通常の場合、無機多孔質物質に対して１０〜８０質量％程度である。
【００３５】
前述の１，１−ビス（４−ヒドロキシフェニル）シクロヘキサン等のホスト化合物を用いて燃料電池用燃料の包接化合物を合成する方法としては、燃料電池用燃料とホスト化合物とを直接接触、混合することで容易に合成することができ、また燃料電池用燃料に加熱等を行いホスト化合物を溶解させ再結晶する方法でも得ることができる。さらに、燃料電池用燃料が気体や液体の場合であれば燃料を加圧状態でホスト化合物と接触することでも得ることができる。
【００３６】
この包接化合物は、常温・常圧環境において、長期に亘り燃料電池用燃料を安定に貯蔵することができる。しかも、この包接化合物は、軽量で取扱い性にも優れ、しかも固体状であるため、ガラス、金属、プラスチック等の容器に入れて容易に貯蔵することができ、液漏れの問題も解消される。また、通常液体状の燃料が包接化により固体状になることで、劇物や危険物としての性質を回避できるようにもなる。さらには、燃料電池用燃料が有する化学的反応性を低減できるようになり、例えば、金属に対する腐食性等も緩和できるようになる。
【００３７】
また、これとは別に燃料組成物としては、分子内にカルボキシル基及び／又はスルホン酸基を有する構成単位を高分子（１）に基づいて２０〜１００質量％含有し、かつ当該カルボキシル基及び／又はスルホン酸基のプロトンの３０〜１００モル％がオニウムカチオンで置換されてなる高分子（１）の架橋体（Ａ）と燃料電池用燃料からなるものも使用することができる。本発明において、カルボキシル基及び／又はスルホン酸基を有する構成単位を所定量含有し、かつ当該カルボキシル基及び／又はスルホン酸基が所定量オニウムカチオンで置換された前記高分子（１）は、最終的にはいずれかの段階で架橋して架橋体とする。架橋の方法としては、（１）共重合性架橋剤による架橋、（２）反応性架橋剤による架橋、（３）重合反応性架橋剤による架橋、（４）放射線照射による架橋及び（５）加熱による架橋などの公知の方法を適用することができる。
【００３８】
本発明の燃料電池用水供給装置を好適に適用可能な燃料組成物は、種々の形態に加工でき、その形態は特に限定されないが、好ましい形態としては粒子状、シート状、一体ゲル化の形態等を挙げることができる。
【００３９】
燃料組成物には、必要に応じて他のゲル化剤（脂肪酸石鹸、ジベンザルソルビット、ヒドロキシプロピルセルロース、ベンジリデンソルビトール、カルボキシビニルポリマー、ポリエチレングリコール、ポリオキシアルキレン、ソルビトール、ニトロセルロース、メチルセルロース、エチルセルロース、アセチルブチルセルロース、ポリエチレン、ポリプロピレン、ポリスチレン、ＡＢＳ樹脂、ＡＢ樹脂、アクリル樹脂、アセタール樹脂、ポリカーボネート、ナイロン、フェノール樹脂、フェノキシ樹脂、ユリア樹脂、アルキッド樹脂、ポリエステル、エポキシ樹脂、フタル酸ジアリル樹脂、ポリアロマー等）、吸着剤（デキストリン、デキストラン、シリカゲル、シリカ、アルミナ、モレキュラーシーブ、カオリン、珪藻土、カーボンブラック、活性炭等）、増粘剤、結着剤、燃料を化学変換して非流動化させる物質からなる群より選ばれる１種又は２種以上を配合してもよい。これらは、それぞれの機能を発揮できるものであれば特に限定はなく、固体、液体のものを問わない。また、燃料貯蔵物を作成する任意の段階で配合して構わない。
【図面の簡単な説明】
【００４０】
【図１】本発明の第１の実施形態に係る燃料電池用水供給装置を示す長手方向の断面図である。
【図２】本発明の第２の実施形態に係る燃料電池用水供給装置を示す概略図である。
【図３】本発明の燃料電池用水供給装置を適用可能なシステムを示すフロー図である。
【符号の説明】
【００４１】
１，１１…燃料電池用水供給装置
２…カートリッジ
３，１５…イオン交換繊維（イオン交換体）
１２…シリンジ本体（カートリッジ）
１３…ピストン（カートリッジ）
１４…活性炭
２１ａ…メタノール包接化合物（燃料組成物）
【図１】
2007128833.tif 000003
【図２】
2007128833.tif 000004
【図３】
2007128833.tif 000005